(57)【要約】      （修正有）【課題】乳幼児期から幼児期にかけて、コドモ達は自分の歯を満足によく磨く事が出来ない長い期間が続く際、親はコドモの（他、介護老人の含む）口の中に歯ブラシを入れて、歯を磨いてやっても、よく磨けなかった時、これを手に取る様（若しくは、口内を探る様）によく磨く事が出来る歯磨き道具を提供する。【解決手段】人の人差し指に、（プラスチック、ステンレス、形状記憶合金等で作る、）指抜きバンドを用いて、取り付け外しが自在に出来、使用時には、コドモの口の中を探る様にして、コドモの口の中を思う様により効率（効果）よく、（普通の大人、介護老人を含む）歯磨きが出来る歯磨き道具。【選択図】図３
2016000184.tif 000002
【特許請求の範囲】
【請求項１】
2016000184.tif 000009
指抜きバンド式歯ブラシＡ（Ｔ．６６９）等、これら歯ブラシ等を、本発明、「歯磨道具収納器付Ｄコップ」（Ｔ．６７２）の内に投入し、自然乾燥が出来て、これら歯ブラシ（ブラシは、主に、豚毛やゴム等で造られる。）等がコップの外へこぼれ落ちて紛失し、ないで済む様にする為に、コップの上部に、更に発明される、綱目型式歯磨き専用コップ蓋Ｇ」（Ｔ．６７５）と、呼称されて、取り付け外しが出来る、コップの蓋が発明される事と共に、歯磨道具収納器付Ｄコップ（Ｔ．６７２）と、呼ばれる、コップの表面側には、凹凸器具で取り付け外しが出来る、歯磨チューブ、パッチン取り付け外し収納器（Ｔ．６７６）が発明され、取り付けられて、この中に（自然乾燥が出来、細菌感染防止が出来る、）「歯磨きチューブの出し入れが自在に出来て、本発明品等の共通、共用性（範疇）を一体化させる事の出来る歯磨道具。
【請求項２】
四つの爪を用い、人の歯磨きする、指先に、（背側を丸くし、水捌けを良くし、）取り付けて、歯磨きの効率と効果を良くし、歯磨の出来る、コンパクト化した、「指抜きバンド式歯ブラシＡ（Ｔ．６６９）と呼称される歯ブラシ等が発明される時、これらの歯ブラシ等は、（主として、ブラシ部分を豚毛や、ゴム毛等で造られる。）「歯磨使用以外」、逆さまにして、請求項１で（指命されて、）発明される、「歯磨道具収納器付Ｄコップ」（Ｔ．６７２）等の縁に引っ掛けて、自然乾燥出来る他、（コップに引っ掛け易い様に、少し歪曲させて、）このコップの中に投入させ、通気性の良い、「綱目型式歯磨き専用コップ蓋Ｇ」（Ｔ．６７５）と、Ｄコップ（Ｔ．６７２）とを連結させる機能をもたせ、歯ブラシ等の紛失防止の為、コップの上から、これに蓋を被せて、内側で自然乾燥させる事が出来、細菌感染防止目的の同一の共通の共用性を持たせ、本発明類の範疇を一体化させる目的を持つ歯磨道具。
【請求項３】
二つの爪を用い、人の歯磨きする、指先に、（背側を丸くし、水捌けを良くし、）取り付けて、歯磨きの効率と効果を良くし、歯磨きが出来る、コンパクト化した、「指抜きバンド式歯ブラシＢ」（Ｔ．６７０）と呼称される歯ブラシが発明される時、これらの歯ブラシは、（ブラシは、主に、豚毛やゴム毛で造られる。）「歯磨使用以外」逆さまにして、請求項１で、（指命されて、）発明される、「歯磨道具道具収納器付Ｄコップ（Ｔ．６７２）等の縁に引っ掛けて、自然乾燥出来る他、（コップに引っ掛け易い様に、少し歪曲させて、）このコップの中に投入させ、通気性の良い、「綱目型式歯磨き専用コップ蓋Ｇ」（Ｔ．６７５）を歯ブラシ紛失防止の為、コップの上から、この蓋を被せて、内側で自然乾燥させる事が出来る他、細菌感染防止目的等、同一の共通、共用性を持たせた歯磨き道具。
【請求項４】
二つの爪を用い、人の歯磨きする、指先に（背側を丸くし、水捌けを良くし、自然乾燥を良くし、細菌感染防止目的等の同一の共通、共用性を持たせて、）取り付けて、歯磨の効率と効果を更に良くする為、「指抜きバンド歯ブラシ、Ｂ（Ｔ．６７０）型式で造られる、コンパクト歯ブラシに対して、二次元に対して、三次元方向や、指抜き部分にも、（主として、豚毛、若しくは、ゴム等で造られる、）ブラシ毛を植毛すると、歯を磨くついでに、歯茎と、唇の内側をも、清潔に磨く事が出来る様になって発明される、「指抜きバンド、三次元式歯ブラシＥ」（Ｔ．６７３）を称する、歯磨き道具。
【請求項５】
プラスチック製のコップに、パッチン式で取り付け外しが出来る、凹凸部器具が取り付けられて、図に見られる様に、歯磨チューブを内に常時、出し入れ出来、常に乾燥状態を保つ事の出来る、「綱目型歯磨きチューブ、パッチン取り付け外し収納器Ｆ」（Ｔ．６７４）を称する、別発明品、「歯磨道具収納器付Ｄコップ」（Ｔ．６７２）と、連結、取り付け外しの出来る歯磨き道具。
【請求項６】
ビニール製等の手袋の指先部位に、（主として、豚毛、若しくは、ゴム等で造られる）「手袋歯ブラシ」（Ｔ．６７８）を呼称する、細菌除け歯磨道具。」
【請求項７】
歯磨き道具は、常に水辺で使用する物である時、歯磨きチューブの乾燥は常に良くし、細菌感染防止に為し、綱目状にして作られ、鉤爪を持って、コップ等の縁に取り付け、歯磨きを便利にする、「鉤付歯磨チューブ入れ容器（Ｔ．６７７）と呼称する、歯磨道具。
【発明の詳細な説明】
【技術分野】
【０００１】  「歯ブラシ」というものを造る際、必ず必要とする条件があった。【０００２】  筆者は、「細菌学」を研究した事があった。「細菌」というものは、甚だ脆いものであり、「細菌」は、通常、（特殊菌を除く、）一定の栄養のある、湿潤する、（最）適温度地帯の中でしか、生存できず、細菌は、乾燥に弱く、乾燥に遭うと、乾燥にメッキリ強い胞子を残して、死滅するものであったが、しかし併、栄養があり、一定の（最）適温度を持ち、湿潤する、適合地帯に辿り着くと、日数をかけずに、天文学的数値で増殖するものである。と、言う最低限度の知識を得てして、歯ブラシは、造られればならず、歯ブラシは、使用以外、常に、ブラシ自体に付く水分を常に乾燥させ続けなければならない技術力が必要となる時、【０００３】  手（若しくは、人の指）先に、サック式にして、サックの指先に「歯ブラシ」を取り付けて、（乳）幼児童の口内歯ブラシをさせる際には、従来に発明されて存在する、「サック式歯ブラシ」では、指サックの中（内側）には、人の指の（爪先の）垢や、汗等他、歯磨き中に、「サック式歯ブラシ」のサック内に水分が入り込んだ際には、垢や汗に紛れ込んだ黴菌の（胞子発芽）増殖のこれが、温床となり、大体６時間を目処にして、（夏期はもっと早い。）増え続ける時、もはや、「サック付歯ブラシ」は、歯磨き使用時以外は、使い捨てするしか効能が無くなった時、【０００４】  歯磨き、歯ブラシ道具は、食品衛生上、「食品扱い。」となる際、歯磨き道具を作る上では、必須条件で、必ず必要となる、歯磨き道具は、通気性の良い場所（条件）で干す事が出来て、次回の使用時迄には、必ず之れを乾燥させて置く事が出来る技術力が必要となった。
【背景技術】
【０００５】  スライド式ハブラシＩＩ（２０１４−３３４０３）
【先行技術分献】
【０００６】  スラド式ハブラシＩＩ（２０１４−３３４０３）、平成２６年１月１５日、出願による、
特許請求の範囲、〔請求項１〕の八行目、「……に、ブラシの乾燥状態を良くする目的を持ち、網目状にして造る、ブラシ収納ポケットを付ける．．．．．．」旨の内容文が展示され、
【０００７】  特許請求の範囲〔請求項２〕の十行目、終文から、「パッチン」で歯ブラシに取り付け外しが自在に出来る、綱型（若しくは、孔空状の穴の開いた）ポケットに凹凸を付ける、●（Ｔ．６５９式ブラシチューブポケット付安全歯ブラシ）等を称する。歯磨き道具の衛生を良くし、携帯を便利にし．．．．．．．」旨の内容文が展示される中、
【０００８】  この明細書に於いて、〔発明の効果〕、〔００１３〕項に見られる、本願発明の前身であり、本発明の失敗作品となった前例、（２０１２−１６０００３号）発明品では、歯ブラシは、常に乾燥させておかなければならない物であるべく所、之れらが、湿潤し、一定の温度を保ち易くなる様に、密閉式の取り外しの出来ない様にし、水分の蒸発しにくい、ポケットや蓋を歯ブラシ本体に取り付け、之れ等をやたら重くする事は、「細菌学」を学んだ人々には、すぐに分る所となる、「細菌」というものは、甚だ脆いものであり、栄養のある、一定の湿潤する、温度と、（最）適温度の中でしか生存出来ず、特に、（新代科学提唱）乾燥（中性子、ニュトロン）に弱く、水（水分）は、太陽電磁線に当たると、原子量の少い、酸素と水素原子に分裂して、分解する際、乾燥に強い胞子を残して死滅するものであったが．．．．．旨の内容文が展示され、
【０００９】  この明細書、〔００１５〕項では、――それ故、本願発明、歯ブラシ本体に取り付けて、合体（携帯）を便利にする、歯ブラシに付随して、不属する歯ブラシポケットの全ては、「細菌学」を考慮して、全て綱目（孔開）状にして作った場合には、乾燥がスムーズとなり、歯磨きをする、場所を、必要、不要を選んで、歯ブラシ本体に、「歯ブラシポケット」や、「歯磨きチューブ入れポケット」を「パッチン式」の取り付け外しが自在となり、そして、
【００１０】  この明細書、〔００２３〕項、３行目からは、――本願発明品とは、直接関係の無い、副因図に示した物であったが、これらの歯ブラシを、この図面の通りにして作ると、歯ブラシは、常に乾燥させておかなければならぬ物であり併も、水を使い歯磨きする、ブラシに対して、密閉式となり、取り外しが出来ずに、埃や水分の溜り易い蓋やポケットを之れに取り着けて使用した場合には、一定の湿潤と、一定の温度が、ブラシに取り付けられたポケット内に溜る際には、細菌発生の温床になる物となり、、、、、とする、先行技術文献が展示された。
【発明の概要】
【発明が解決しようとする課題】
【００１１】  乳幼児から、幼児期にかけて、未だ、コドモ達は、自分の歯を満足によく磨く事が出来ない長い期間が続く際、親は、コドモの（他、介護老人を含む）口の中に歯ブラシを入れて、歯を磨いてやっても、よく磨けなかった時、どうしたら、これを手に取る様によく磨く事が出来るか！考えた事があり、外出先でも（大人を含む）これら歯磨きを、スムーズに出来ないものであろうか！考えた事があった。  課題が生じた。
【課題を解決する為の手段】
【００１２】  人の人差し指に、（プラスチック、ステンレス、形状記憶合金等で作る、）指抜きバンド（Ｔ．６６９）を用いて、取り付け外しが自在に出来、使用時には、コドモの口の中を探る様にして、コドモの口の中を思う様により効率（効果）よく、（普通の大人、介護老人を含む）歯磨きが出来、歯磨き道具の（自然）乾燥さへも、思い通りに出来るものとなった。
【発明の効果】
【００１３】  人間の人差し指に着ける事の出来る、密閉式の「指サック歯ブラシ」（Ｔ．６６８）を発明をした事があったが、大失敗（作品）となってしまった。以後、この失敗作品を、「指サック歯ブラシ」（Ｔ．６６８）と呼ばれた。
【００１４】  筆者は、「細菌学」を研究した事があった。「細菌」というものは、甚だ脆いものであり、「細菌」は、通常（特殊物を除く、）一定の栄養のある、湿潤する、温度と、（最）適温度の中でしか、生存できず、細菌は、乾燥に遭うと、乾燥にメッキリ強い胞子を残して、死滅するものであったが、しかし併、その胞子等は、土埃風に紛れ込み、栄養のある、一定の湿潤する湿度と（最）適温度地帯に適合（辿り着く）すると、日数をかけず、（中には、）天文学的数値で、増殖するものである。とする、簡略的な知識が歯磨き道具を造る者には、必要となった。
【００１５】  それ故、歯ブラシは、使用時以外は、ブラシ自体に付く水分を常に乾燥させ続けなければならない技術力が必要となる時、人の人差し指を密閉式のサック状にして造り、サックの先端部分にブラシを取り付け、このサックの中に、人の人差し指を入れて、使用する、「指サック歯ブラシ」（Ｔ．６６８）をして、之れを使用した場合、
【００１６】  指サックの内側には、人の「人差し指」の爪の垢や、汗の他、歯磨き使用時に、之れに流れ込む水（分）等で、サック内は、湿潤し易くなる際、大体６時間を目処（夏期は、より短時間となる。）にし、驚く程の勢いで、人の指先にある黴菌は、サック内で増殖を開始する際には、そもそも、
【００１７】  歯磨き、歯ブラシ道具は、食品衛生法上、「食品扱い」となる時、これら、「指抜きバンド式歯ブラシＡ」（Ｔ．６６９）
2016000184.tif 000003
の先にブラシを着けた歯ブラシは、一度着けたならば、数日の内に、必ず、使い捨てしなければならない程迄にも、黴菌の集（た）かった温床になり易い物となった際、旧式歯ブラシである所の「指サック歯ブラシ」（Ｔ．６６８）とでは、造り方を変更する、本願発明、「指抜きバンド式歯ブラシＡ」（Ｔ．６６９）や、「指抜バンド式歯ブラシＢ」（Ｔ．６７０）等では、  これを使用し、歯磨きを終えた後に、ブラシや、ブラシの裏に着く黴菌を容易に、洗い落とす事が出来、歯ブラシを図に、見られる様に、逆さまにして、コップの緑（ヘリ）に引っ掛けて置く事が出来る技術力が生じる際には、普通の歯ブラシと同じ様に、次回の歯ブラシ使用時迄の時間内に、必ず自然乾燥させる事が出来る物となる際には、使い捨て商品とはならずに、一回購入したならば、三ケ月以上は、使用できる物となり、経済品となった。
【図面の簡単な説明】
【００１８】
【図１】  乳幼児から、幼児期にかけて、未だ、コドモ達（他、介護老人を含む）の口の中に歯ブラシを入れて、歯を磨いてやっても、よく磨けない長い年月間の内、どうしたら、これを手に取る様によく磨いてあげる事が出来るか！を考えた時、歯磨きをする際、四つの爪を取り付けて、人の（左右）指先に、之れを差し込んで、歯磨き出来る、指抜きバンド歯ブラシＡ（Ｔ．６６９）を発明し、使用出来た時には、歯磨き使用時には外れづらく、コドモ（他、介護老人や、普通の大人等）の口の中を探る様にして、思う様に、歯磨きが出来たが、その四つの爪をプラスチックバンド等で造る事を理想として、造ったが試作段回では、壊れ（破壊）易いものとなる際、（後の製作技術では、成功。）ステンレスや、形状記憶合金を用いて造る際、壊れづらく、指から外れづらい物となったが、誤飲する使用者も生じた時、やはり、この歯ブラシの全ては、全属を用いて造る事なくして、
【００１９】  人の（左右）指先きを、包み込む様にして、二つの爪を持たせて造る、指抜きバンド歯ブラシＢ（Ｔ．６７０）が発明、使用出来た時には、歯磨きブラッシング中には、壊れにくくなる他、この歯ブラシを使用して、歯磨きをした場合には、歯磨きブラシッングする際には、直角方向（三次元方向）にも植毛される時には、今迄の歯磨き道具作り製法では、絶対に出来なかった、この歯ブラシは使用して、歯を磨くついでに、歯茎と、唇の内側をも清潔に磨く事が出来る活気的な発明品となる事が示される事が図説された。【００２０】
【図２】  本願発明される、「指抜きバンド式歯ブラシＡ」（Ｔ．６６９）「指抜バンド式歯ブラシＢ」（Ｔ．６７０）「指抜きバンド式歯ブラシＣ」（Ｔ．６７１）「歯磨道具収納器付コップＤ」（Ｔ．６７２）指抜きバンド三次元式歯ブラシＥ」（Ｔ．６７３）三次元式（喉）突き刺さり防止歯ブラシＦ（Ｔ．６７４）綱目型式歯磨き専用コップ蓋Ｇ（Ｔ．６７５）をして、これら歯磨き道具を使用する、歯磨きを終了した後、乾燥させる事の目的として、更に別に発明される、プラスチック製のコップに、パッチン式で取り付け外しが出来る凹部と凸部器具が取り付けられていて、このコップには、図に見られる様に、「歯磨きチューブ」と、「歯磨き綱目型チューブ収納器」（Ｔ．６６０、２０１４−３３４０３号参照）等をコップに取り付け外しが自在に出来る他、コップの緑に、ブラシを逆さまにして取り付ける事が出来る時、この歯ブラシの背中の部分をコップに取り付け易く、（自然）乾燥を目的とし、水捌けがよく出来る様にし、歪曲型や、ダンゴ虫の様に作られている事が示される他、鉤（状）爪を付けて、歯磨チューブ入れ容器をコップの縁に引っ掛けて、常備出来る発明品等が造られる図。
【００２１】
【図３】  本願発明、「指抜きバンド式歯ブラシＡ、Ｂ、Ｃ、Ｄ」等の発明品の前身となる、指サックを作り、そのサックの先に、ブラシを着けて、「指サック歯ブラシ」（Ｔ．６６８）をする、歯磨き道具を造ると、サックの内側には、手垢や、歯磨きの最中に入り込む水分で、サックの内側は、（温度を保って）湿潤し易く、細菌が増殖し易くなる嫌いが、生じた為、発明製作段回で中止された図が表わされる事と共に、本願発明品、「指抜きバンド式歯ブラシＡ」（Ｔ．６６９）を二つ買い揃えた上で、片方づつの歯ブラシの背中に着く、手の指先きにあって、これに取り付く、黴菌をこすり合わせて洗い流す事が出来る事を示している中、その様にして、清潔にし、洗浄された「指抜きバンド式歯ブラシＡ（Ｔ．６６９）「綱目型式歯磨専用コップ蓋Ｇ」（Ｔ．６７４）が発明される、このコップの中に、転げて無くなり易い小さ目の「指抜きバンド式歯ブラシＡ」（Ｔ．６６９）等を投入し、更に本願発明される、「綱目型式歯磨専用コップ蓋Ｇ」（Ｔ．６７５）が上部に覆せられて、保管される時、コップ（Ｔ．６７４）の中は、常に通気性が良くなり、コップ（Ｔ．６７４）の中にある内容物等の乾燥が常に促され続ける事が出来る発明品となる図となった。
【００２２】
【図４】  本願発明の前身となり、２０１４−３３４０３号発明文献中、その符号の説明中、２３項、２４項、２５項、２６項をして他、４９項、５０項、５１項、５９項で、出願発明される、拡大や縮少出来る、幼児童（喉）突き刺さり危険（予防）防止用歯磨き道具を縮少させて、（有事、被災時等防災グッズに取り備えて、）綱目模様で造られる、「歯磨道具収納器付Ｄコップ」（Ｔ．６７２）の中に、之れを入れて、更に、本願発明される、「綱目型式歯磨き専用コップ蓋Ｇ」（Ｔ．６７５）をして、リュックザックやバッグの中に入れて持ち歩いても、常にコップの中のグッズは、乾燥し続ける事が出来る発明品等である事が示される図。の他、他人の口内を歯磨きする際、細菌の感染（症）を防ぐ為、プラスチック、ビニールの手袋の指先きに、歯ブラシを取り付けた、「手袋歯ブラシ」（Ｔ．６７８）が発明された図。
【発明を実施する為の最良の形態】
【００２３】  ―――永年、迷とされていた、古代エジプト（史）第１８王朝、ツタンカーメン王墓が、奇跡的にも、大掛かりな、発堀工事の末に、カーター、カーナボン卿等により、無傷のままに、（発見）発掘されたことがあり、その王墓の中には、「‥‥我が墓を暴く者には、呪（死）がある。」と書かれており、マスクも着けず、（初歩的なミス）中に立ち入った者達は、次々と高熱が出て後、死亡した逸話があり、エジプト考古学の呪術をする、ミステリー（神秘）の一部となり、人々の興味を多いに引く根深いものとなったが、
【００２４】  「それは、王墓の中に蒔き散らされて、封印された、細菌の胞子である。」と筆者は聴いており、表てには、出ずらい、細菌（軍事）兵器のナンバーの中にも、既に数えられていた事が立証される時には、エジプト考古学（呪術）も、細菌で容易に、すぐに片づけられてしまうものとなったが、
乾燥した（王墓）中では、２千余年以前に発生した細菌の胞子は、乾燥する所では、生き続ける事が出来て、それを知らずに、王墓に侵入した人々が呼吸する、温潤した気管支内に取り着けば、（発熱）発病するものとなった―――。
【００２５】  歯磨き道具は、食品衛生法による、（人の口内を出入りする）「食品扱い」となる際、使用時以外は、必ず、乾燥させ続けなければならない形や、（形態）が必要となった。
【実施例】
【００２６】  「お医者様でも草津の湯でも治せないのは、恋病♪」という歌を読者は御存知だったであろうか！
―その位、草津温泉は、銘湯であり、天下にその名を轟せたのは、当時、不治の病と言われた梅毒、（スピロヘーターパリダ）淋病（淋菌）癩病（癩菌、レプラ）等患者が、湯治客の中に混っていても、治癒した例からであった由以によるものであったが、その迷を解き明かすと、実に簡単な事となった。【００２７】  風呂好きの日本国民には、これらの患者の数こそ少なく、この患者が国内に目立つ様になったのは、秀吉の朝鮮出兵以後、特に、牛馬等家畜に因果関係のある、（中国）大陸の放牧民族に目立ってあり、国内に持ち帰った。という説がある中、病状が重度ではなく、軽症の内は、草津温泉でなくとも、特に、冬期間に限定が必要となる、）家庭内にある、風呂の湯の温度を４０℃以上にし、（草津温泉は、４３℃あると言う。）およそ、２０分から３０分間づつの割り合いで、体力に合わせ、湯中（ゆあたり）しない低度に湯に浸り、湯から上ったら、ドテラ（綿入れ）を着、コタツの中に入るか！布団の中に入り、躰を充分に休めてから、又、暑目の風呂に入り続ける、（これは、「湯治治療の定理」となる。）事を繰り返えしていると、いつしか、体内に集る黴菌は、４０℃以上の温度に弱い事から、死滅し、治癒しているものとなった。が、温泉の中に含まれる、鉱物室（湯の花、市販品）にも薬効性は、認められるが、【００２８】  夏期中、９８℃以上の温度のある、サウナ室に、２０分近く入室して後、冷水に浸る、サウナバスは、「湯治治療の定理」から外れる事から、絶対に、これに用いてはならない事が（厳重）注意書きされた。【００２９】  足裏に出来る、しつこい水虫（白癬）菌でも、真夏の５０℃以上に焼かれた砂浜の上を歩くと、一瞬の内に、子孫の胞子を残して死滅（全滅）する時、その胞子も、海水浴の乾燥した浜辺の砂と、海水等で（流れ）落される際には、完全治癒される、例題が、本論説で論証される他、【００３０】  歯の癩病と呼ばれる、「歯槽膿漏」（リプルと命名する菌、胞子）等は、干物（魚肉）等に取り付き易い物であった時、その表面をしっかり火を通せば、特に問題の無い物となったが、（畜膿症等他花粉症で、）鼻が悪く、就寝中、口を開け、口呼吸している、人々の口内温度が、平均体温、３６、５℃を保てず、（口内）体温の低い、（低体温症）の人々に多く見られ、歯と歯茎のみ、湿潤している、（カラカラに乾く）様な状態を見計らい、このリプル菌（スルメの中で発見）は、歯周病原菌（の一つとして、）異常繁殖する、因果関係が発見されても、治療方法は、歯科医師法の管轄内にある事であり、実施例が多く説明される必要から説明された。
【産業上の利用の可能性】
【００３１】  本件論説の類題に、細菌の持つより多くの性質が説明される必要が生じた。「細菌とは、活物培養する生体系の中にあり、温潤する、栄養のある、（最）適温度地帯の中でしか生存出来ぬ、定義が生じ、乾燥に遭うと、乾燥にメッキリ強い胞子を残して、死滅する性質のものである。と、定理される時、
【００３２】  細菌は、培養主（ホスト）に遭って、培養する際、（生活する際、）培養主に有益な分泌物を提供する（例、乳酸菌等）をして、宿主（ホスト）と、共存、共生する、性質のある菌を、「善玉菌」と称呼される反面、宿主に取り付き、細胞に対して、破壊性のある、毒素、毒物を提供するものを、「悪玉菌」（黴菌）と呼称され、その数は、善玉菌、悪玉菌を含め、未だ数、数え切れぬ無限数に近く、発見されて、感染力と有害性、増殖性の旺盛な悪玉菌では、ＷＨＯ、国連の世界保健機関で共通する、法定伝染病に見られる以外の未知なるものも多くある中、（注、悪玉は、酸化コレステロールも指す。）
【００３３】  医療関係（職）に携わった事のある人間ならば、（一度と言わずに、）人間の掌に集る黴菌（のものすごさ）を顕微鏡で見て周知するものであり、トイレに行った後には、当然の様に手洗いを励行し、日々、掌に黴菌を着けぬ事を心掛けていた。
【００３４】  料理人（特に寿司業）が、来客者の覆き物を、素手で触って、揃え治して後、手を洗わずに、調理場に戻って来て、仕事をしている所を、客と、親方に見られて、叱られている所を見た事があったが、――反例する、下記述が示された。
【００３５】  ――エジプト、アラブ、アフリカ等を旅行した事があった。昔から、これらの地方では、水資源は大切にされ、食事をした後の食器を（注、乾燥砂で、）洗い流し、（若しくは、磨き治し、）乾燥した食器棚に戻しては、次回に揃え、繰り返し使用していたが、別に問題は、起こらなかった。
【００３６】  逆に、読者に質問が成される反面、現代人が、現在、普通に使用している、普通に見られる、「歯ブラシ」のブラシ部分は、通常、歯磨き後には、必ず洗われて、必需品となる、歯磨き専用コップ等に立てかけられ、次回の歯磨き（ブラッシング）使用時迄、（必ず、）干されている、生活循環の中にあっても、このブラシの逆方向の手で持つ柄の方は、（この歯ブラシが、）購入されてから、使用済みとなり、捨てられる迄の間、通常、一度も洗われてない事を知っていたであろうか！
【００３７】  これ程迄に、多くの例え話しがされる、「歯磨き道具類」を製造する者にとっては、必ず必要とされた知識の要因は、「細菌学の定理、（定義）の熟知力による事であり、それ故、
【００３８】  医療（介護、老人等を含む）用に、用いる場合においても、「指サック歯ブラシ」（Ｔ．６６８）の様には作ってはならずに、使い捨て目的に造られるならば、本願発明、「ビニール手袋指サック」（Ｔ．６７８）の様にして、造られる事が理想となった。
【００３９】  一昔前の話となるが、海水浴、プール（殺菌力が弱く）遊びをした後には、目薬りの貸し借り（回し打ち）しては、ならない旨、保険所からの指令が入り、コドモ達に厳重注意が成される、結膜炎を引き起こす、トラコーマのの感染（防止）は収まった。
【００４０】
2016000184.tif 000004
際にも、雑菌の増殖、感染さへ処断させる為の技術力が、歯磨道具を造る製造者に課せられる際、本願発明される、「歯磨き道具類」の全ての物は、歯磨き（使用）の済んで後、次回の使用時迄には、完全乾燥が出来る物となる技術力が必要となり、
【００４１】  今迄には、（乳）幼児童（介護老人を含む）等の口内の歯磨きが、普通の歯ブラシでは、よく磨けなかった事を解消させるべく、持ち運びにも便利となり、「歯ブラシ」をコンパクトにする、人の指先に取り付けて、取り外しが容易に出来る様にして、それらの口の中を探る様にして、磨ける様に出来た際には、消費者ニーズを呼び、大量生産化される発明品となる時には、産業上の利用性の非常に高い物になった。
【附号の説明】
【００４２】１．主に、人間の人差し指の右指先と、２．左り人差し指を表わしている図となり、３．本願発明される、「指抜きバンド式歯ブラシＡ」（Ｔ．６６９）は、４．１つ、５．２つ、６．３つ、７．４つの爪があり、８．人の人差し指等に差し込む事が出来て、９．下部位置には、（主として、ブラシ部分を豚毛や、ゴム毛等で造られる。）歯や歯茎を磨くブラシが用けられている事を示す図となるが、試作段回では、爪を造るプラスチックの、柔軟性や、強度の調整が取りづらく、すぐに割れ（破壊）してしまうものが多かった時、本願発明される、「指抜きバンドＡ」（Ｔ．６６９）の四本の爪は、プラスチック製を理想としながらも、替りに、ステンレスや、形状記憶合金が使用されて造られ続ける中、１０．本願発明、「指抜きバンド式歯ブラシＢ」（Ｔ．６７０）は、指抜きバンド部分を、１１．１つと、１２．２つにして造る、１３．図に見られる様に、２ヶ所で覆い被せる様にし、（Ｌ、Ｍ、Ｓサイズにして、）造ると、プラスチックの柔軟性や、強度の調整が取り易く、壊れにくい物となり、１４．人の人差し指等を之れに差し込んで、歯磨きが使用し易い物となったが、之に見られる、「指抜きバンド歯ブラシＢ」（Ｔ．６７０）型式で、造られる、指抜き部分にも、１５．ブラシ毛（主として、ブラシ部分を豚毛や、ゴム等で造られる。）を取り付けると、歯磨の効率＿＿よく出来る様になる、「指抜バンド式歯ブラシ、Ｃ」（Ｔ．６７１）が発明された図を表わし、１６．歯磨き使用後には、逆さまにして、ワンコインショップ等で、既販されている、１７．蓋付き、１８．コップ（プラスチック製）等の  １９．縁（へり）に引っ掛けて置いて、（自然）乾燥し易い様にする為には、本願発明、「指抜きバンド式歯ブラシ、Ａ、Ｂ、Ｃ）型式、バンド歯ブラシの背中は、２０．ダンゴ虫の様に、丸みを帯て造ると、水捌けがよくなる事が示される図となり、２１．この歯ブラシのブラシ部分を示す分解図となり、２２．現在ワンコインショップで普通に販売されている、プラスチック製のコップに、２２．パッチン式で取り付け外しが出来る、２３．凹部と、２４．凸部器具が取り付けられて、２５  図に見られる様に、２６．歯磨チューブを内に入れる、２７．網目型式歯磨チューブパッチン取付外し収納器Ｆ（Ｔ．６７６）（２０１４−３３４０３号文献中、附号の説明２９項、Ｔ．６６０号式チューブ入れポケットの発明品と同じ物となる。）をコップに取り付け外しが自在に出来る、本願発明、歯磨道具収納器付Ｄコップ（Ｔ．６７２）示し、２８．本願発明品の前身であり、失敗作品となった、「指サック歯ブラシ」（Ｔ．６６８）を示す図となり、２９．指サックの先に（歯）ブラシを着けたサック着き、「指サック歯ブラシ」（Ｔ．６６８）の全容を表わしており、３０．サックの中に指を入れて、歯磨きをした場合、３１．人の指先に附着している、爪の垢や、手垢に紛れ込んで付いている、黴菌が、水分と共に、必ず染み込んで、サック内を湿潤させ、この事が原因して、（特に夏期時には、）手垢から増殖し続ける、黴菌の温床となる、嫌いが生じた時、製作段回で中止になった事を示す、本発明（図）とは、直接関係の無いが参考になるので、副因図として、掲示された。��２．本願発明品は、２対１組で販売される事を理想とする、本発明、歯ブラシは、歯磨きを終了した後には、（指に留めてある）歯ブラシの背側に付く黴菌を、３３．図に見られる方法で、互いに、こすり合って洗い落す事が出来る図を示しており、歯磨終了後は、（指）歯ブラシを、コップの縁（へり）に、引っかけて、干す事が理想であったが、３４．外出時や、仕事先の昼食後の使用に、大変便利となり、出張先、旅行先他、有事、被災時に際しての、歯磨き道具の備品にしては、リュックザックの中や、バッグの中に、３５．本発明品をワンコインショップで既市販されている蓋付きコップの蓋を綱状にして作り、コップの中の通気性を良くした発明品が成されるものの、３６．「歯磨き使用時には、本願発明品は、小さくて、転がり易く、通常の柄の着いた歯磨きとは違って、紛失し易いものとなるものとなる際、その分だけ、販売力は高い物となったが、歯磨ブラシは、周知させる必要が生じる、使用時には、常に必ず、「歯ブラシは乾燥させて下さい。」旨、注意書き書が必要となる、「注意書」、３７．本願発明、「指抜きバンド、三次元式歯ブラシＥ」（Ｔ．６７３）を示す図となり、３８．現代通常に見られる、二次元方向にのみ備って着いている（歯）ブラシに対して、３９．三次元（直角）方向に、ブラシを殖え込む発明が成されると同じく、４０．本願発明品の前身となり、２０１４年３３４０３号、発明文献中、（特に、）その符号の説明中、２３項、２４項、２５項、２６項、をして、４１．４９項、５０項、５１項、５９項で発明される物件に対して、４２．二次元方向と、４３．三次元（直角）方向にブラシを備え付けられた、「三次元式（喉）突き刺さり防止用歯ブラシＦ」（Ｔ．６７４）が発明される事と共に、４４．この歯ブラシには、衝撃（必要以上の）力が発生すると、節々に取り付けられた、ファジーショックセンサーが稼働し、瞬時の内に１／３の長さ迄縮少出来た。
それ故、これら、歯ブラシが無くならない様にする為、４５．本発明、歯磨道具収納器付Ｄコップ（Ｔ．６７２）と、本発明、歯ブラシ等を通気を良くし、保管する事の出来る、４６．柔い綱状で作るプラスチック製の歯磨き専用コップ蓋（Ｔ．６７５）とを連結させる事が出来る図となり、４７．本願発明の前身となり、２０１４−３３４０３号、発明文献中、その符号の説明中、２３項、２５項、２６項をして、４８．４９項、５０項、５１項、５９項で、出願発明される、拡大、縮少出来る、幼児童（喉）突き刺さり防止用歯磨き道具を縮少させて、この、網目模様で造られる、４９．網目型式歯磨き専用コップ蓋Ｇ（Ｔ．６７５）で蓋の出来る、５０．歯磨き道具収納器付Ｄコップ（Ｔ．６７２）の内、５１．歯ブラシ等を投入させて、保存する事も出来た図。５２．細菌除け、ビニール手袋を示す図となり、５３．この手袋の指先に、「手袋歯ブラシ」（Ｔ．６７８）が発明された図を表わす。（使い捨て。）５４．鉤爪付チューブ入れ容器（Ｔ．６７７）を  ５５．コップの縁に取り付けた図を示す。
2016000184.tif 000005
【受託番号】０４７−３３４−３４８０、０９０、６７９３、４０７７
【配列表フリーテキスト】  筆者による、新代科学が提唱される。―――人類が体毛を失う、裸の猿へと、進化した迷は、意図も簡単に解説された。シナントロプスペキネンシス（北京原人）を境いに、洪積世末期の地球上の持殊な気候条件を生き延びる、火と石器を用いるべく、人類は、脳と（支）神経を急速に巨大化させた事は、膨大な（シナプス）電気の発生供給源（注、人間の皮膚は、太陽光発電となっている。）の迅速なる、必要性に追ばる、急速なる、裸体化現象
2016000184.tif 000006
定理、定義の元に、地上に、多発発生した際、人類の裸体には、完成させる、平均する、３６．５℃の体温の恒温を最適とし、悪玉性黴菌の一切を寄せ付けない、温血動物となる、体温域を確立して、その記憶を遺伝子に組み込んで、完成した際、「人体病理学」を援用する、人の恒設（恒温）体温を、平均、３６．５℃にして、保持する為に「裸のサル」状態では、不可能に近かった時、人類は、家畜を飼い、獣肉や、毛皮、毛糸等を手に入れ、衣類、毛布等にし、自身の体温を平均して、３６．５℃を保ち続ける事に成功し、主食は、暫くの間、栗の実を乾燥させた物を焼いて食う、ダンゴ状の物が長く続いて後、米、麦、あわ、きび、豆類、野菜等種類が増え、人々は、夜間は藁の中で寝る事を覚えてゆく順序で、人類の平均寿命は、衣食住の整備をよくする事で、急速に延び始めるものとなった。論説は、「細菌学」に戻される所、「裸のサル」としての進化を遂げた、人類にとって、一番最初に衣類が必要となる原因は、人間の持つ、共通の体温は、悪玉細菌（ビールス）等を撃退させるのに（最）適温度である事が発見される、人の恒設体温が、多くして、被労や、衣服の着用状態、布団の掛け具合が悪く、恒設体温が、３５℃以下の（長き）時間が続く際、悪玉菌（胞子）の増殖（最）適温度地帯となり、体内に、悪玉菌（他、ヴィールス）が、有害分泌液を吐出し併、（急）増殖する際、人体内には、感冒に診られる軽症のものから、法定伝染菌、（ヴィールス）に診られる重症に至るもの迄の増殖を許した場合、人体は、背筋に悪寒を走らせたり、咳、くしゃみ、下痢、腹痛を引き起こし、３７℃から４３℃近く迄の恒設体温を、引き上げる、細菌、ビールスが死滅する体温状態に着眼されたい。筆者が言っているのは、本件は、環境温度の１℃〜６℃迄に上昇する温度の違いの事を言っているものではなく、人体の自律神経が保っている、平均恒設温度が脳（自律神経）から、の、命令（若しくは、指令）により、体内での細菌、ヴィールスの（急）増殖に合わせて、３６．５℃から、４３℃を限界にして、体温の調整が成されているものであり、一時でも、体温を３６．５℃以下にしてはいけない事が必須条件とされる中、筆者は、ある法定伝染病
2016000184.tif 000007
植物の様な性質状の物であり、ヴィールス等とは、ホヤや、磯巾着の様に、根を持つ植物的特徴を持ち併、反面、躰の一部分は、触手等に見られる、動物的特徴を持っているものであると、説明し易く、そして、これらに喰い付いてゆく
2016000184.tif 000008
体温の中でのみ共存、共生している時、本論説で主張される、体温が、３５℃以下に下がる時を見計い、（病理学、）悪玉菌をする、侵入者が、この温度が長く続く時間帯に、（急）増殖する際、白血球の異常増殖を、自律神経が感知（医学解剖生理学）すると、人間の体温を３７℃から、４３℃を限度にする迄、之れを一気に上昇する際、悪玉菌は目を見張る勢いで死滅し続ける事を得てする、筆者は、大型の冷蔵庫であり、氷点下０℃以下に出来る、ビルの中に二つの部室を持つ、小屋を造り、ベッドとコタツを置く部室と、湯温を４０℃以上、４３℃を限界とする湯舟の中に湯を入れ、これらを設置する部室を作り、実験では、市販されている「湯花、鉱物質」を入れた風呂の中に、（肺）結核患者（様）に対して、本件、「湯治療法の定理」に従って、何度も、何度も、繰り返しては入り、充分な休養を必要とする、湯上り（湯冷めを厳禁とする、）には、衣類を着装し、ドテラ（綿入）を着込み、（看護師を伴い。）体温計を必携帯する、体温を絶対に、３６．５℃以下に落とさぬ様させ、看護する、コタツ、若しくは、ベッドの中に入っては、被労しない様、充分に休息をする、体調管理の元、この湯舟の中に繰り返し、入っては休息を取りを、繰り返して続行する、被実験者が退屈しない様に、テレビ、ラジオ、ビデオ、雑誌、新聞を持ち込んでもらい、室内温度は、３６．５℃以下にならない様にして治療すると、一ヶ月もかけないで、結核菌病を始めとする、大概の法定伝染病菌は、死滅するものとなる中、―――これだけ、詳細されて、大仕掛けの実験をしなければならなかった理由は、人（間）の顔（特に額）は、外気温感知センサーになっている為、この（実験）治療は、菌類繁殖の活発となる、夏期には（実力）行使出来ない他、この（実験）治療を夏期日に行使すると、人の体温は、必ず異常上昇する為、苦痛を伴うものとなり、平均体温３６．５℃を維持する事は、（絶対的）不可能となるものであり、サウナバスに見られる様に、この治療を行う者は、治療途中に冷水に入り、体温を３５℃以下に急速に落す様な事をした場合の体内細菌は、異常（急）繁殖するものとなり、致命的危険に晒されるので、これらの治療行為は、日本の古くからの伝統に診られる様に、湯治治療の定理や定義に従って、冬期間にのみ限定にして、行わなければならない厳重注意がなされた。
「全世界の人口の内、１／３は、結核患者である。」という位迄、多い（肺）結核患者に対して、現在では、抗生物質の投与治療が主流となる現代においても、日本に古くから有る、「湯治治療による自然治癒療法」による、発明、発見が、本件、フリーテキストにより報告される程迄、全世界から、結核感染症患者を始めとする、本件論説に登場する、（法定伝染）菌他黴菌の（病理）伝染する理由（定理）は、人体の自律神経にして、恒設平均体温が、３６℃以下に降下する者の体内に発生している事が突き留められ、極端な例では、冬期間、気管支（炎）症を引き起こす感冒や、インフルエンザ菌をして、夏期中では、（主として、海外先で飲む生水）冷い井戸水等を飲み続け、胃腸内体温を３６℃以下にする時、ピロル菌や、コレラ菌の増殖を許してしまう旨の事が、定理で示される際、人体（自律神経）が示す、恒設体温を１℃でも上昇させる際には、驚く程の勢いで、これらに集る、細菌、ヴィールス等が死滅し続けるのが確認（医学、解剖生理学援用）された時、法定伝染菌（ビールス）等の殆ど全ては、  日本に古来から言い伝えられて（本説で詳細されて、厳重注意のある。）湯治療法で、自然治癒する事が分り、菌感染（症患）者には、絶大な効果を表わすものとなるが、現在、治療方法が確定されていない、エイズ他、ヴィールス性、感染（症患）者（様）に、試験して診ていただいた所、効果があった。との報告をいただいています。又、人体（動物体）と、共存できない、悪玉菌は、１℃の違いで死活状体に遭い、乾燥にメッキリ強い胞子を残して、急増殖、急死滅する、大変デリケートな者である事を理解されたい。
【図１】
2016000184.tif 000010
【図２】
2016000184.tif 000011
【図３】
2016000184.tif 000012
【図４】
2016000184.tif 000013